(57)【要約】【課題】箱体の側板に配線引き込み用または吸排気用の開口部と、この開口部を覆うスライドパネルとを備え、しかも低コストの電気機器収納用箱を提供する。【解決手段】箱体の側板に配線引き込み用または吸排気用の開口部を形成した電気機器収納用箱１００である。この開口部を塞ぐ平板状の塞ぎ部４と、塞ぎ部４から垂直に突出させたフランジ部５と、塞ぎ部４とフランジ部５との連結部６に形成され、開口部２の上下端縁に係合する引掛部９，１０とを備えたスライドパネル３を、開口部にスライド可能に保持させた。従来のような枠が不要となり、低コストである。【選択図】図３
2014011380.tif 000002
【特許請求の範囲】
【請求項１】
箱体の側板に配線引き込み用または吸排気用の開口部を形成した電気機器収納用箱において、前記開口部を塞ぐ平板状の塞ぎ部と、開口部の上下端縁に係合する引掛部とを備えたスライドパネルを、前記開口部にスライド可能に保持させたことを特徴とする電気機器収納用箱。
【請求項２】
塞ぎ部にはスライドを規制するスライド規制部を形成した請求項１記載の電気機器収納用箱。
【請求項３】
スライド規制部は、スライドパネルに形成したスライド方向に延びる長孔と、その内部に設けられ側板に螺合される固定ねじとにより、スライドパネルの固定部を形成したことを特徴とする請求項２記載の電気機器収納用箱。
【請求項４】
スライドパネルの表裏両面にそれぞれ開閉規制部を設けたことを特徴とする請求項１記載の電気機器収納用箱。
【発明の詳細な説明】
【技術分野】
【０００１】
本発明は、隣接するキャビネット間での配線を可能とした電気機器収納用箱に関するものである。
【背景技術】
【０００２】
多数の電気機器を収納したラック型の電気機器収納用箱は、特に通信の分野において広く使用されている。このような電気機器収納用箱は内部が仕切り板により上下方向に複数段に区画され、各段の使用者が異なることがある。また、電気機器からの配線を隣接する電気機器収納用箱に引き込む必要がある場合がある。
【０００３】
このため特許文献１、２に示すように、電気機器収納用箱の側板に、隣接する他の電気機器収納用箱に配線を引き込むための配線用の開口部、あるいは換気用の開口部を形成することが行われている。このような開口部は通常は閉鎖しておく必要があるから、特許文献１では開口部の上下に水平な枠を取付けてスライドパネルをスライド可能に保持させている。また特許文献２では、開口部の周囲に枠を取付けてスライドパネルをスライド可能に保持させている。
【０００４】
しかしこのような開口部は側板に複数個設けられるのが普通であり、特に各段に設ける場合にはその数も多くなる。従って特許文献１，２のように各開口部に枠を取付ける構造では、部品点数が増加し、加工工数も増加してコスト高となるという問題があった。
【先行技術文献】
【特許文献】
【０００５】
【特許文献１】特開２００３−１８８５５６号公報
【特許文献２】特許第４８５４５３５号公報
【発明の開示】
【発明が解決しようとする課題】
【０００６】
従って本発明の目的は上記した従来の問題点を解決し、箱体の側板に配線引き込み用または吸排気用の開口部と、この開口部を覆うスライドパネルとを備え、しかも低コストの電気機器収納用箱を提供することである。
【課題を解決するための手段】
【０００７】
上記の課題を解決するためになされた本発明は、箱体の側板に配線引き込み用または吸排気用の開口部を形成した電気機器収納用箱において、前記開口部を塞ぐ塞ぎ部と、開口部の上下端縁に係合する引掛部とを備えたスライドパネルを、前記開口部にスライド可能に保持させたことを特徴とするものである。
【０００８】
なお請求項２のように、塞ぎ部にはスライドを規制するスライド規制部を形成した構造とすることができる。
【０００９】
なお請求項３のように、スライド規制部として、スライドパネルに形成したスライド方向に延びる長孔と、その内部に設けられ側板に螺合される固定ねじとにより、スライドパネルの固定部を形成した構造とすることができる。
【００１０】
さらに請求項４のように、スライドパネルの表裏両面にそれぞれ開閉規制部を設けた構造とすることが好ましい。
【発明の効果】
【００１１】
本発明の電気機器収納用箱は、スライドパネルに形成した引掛部を開口部の上下端縁に係合させることにより開口部にスライド可能に保持させたので、従来のように開口部の上下やその周囲に枠を形成する必要がない。このためコストダウンを図ることができる。
【００１２】
請求項２及び請求項３の発明によれば、スライド規制部によりスライドパネルを任意の位置で固定、またスライドパネルの倒れや回転を防止することができる。
【００１３】
請求項４の発明によれば、スライドパネルの表裏両面にそれぞれ開閉規制部を設けたことにより、スライドパネルの一方から固定部を外しても、反対側からも固定部を外さない限りスライドパネルをスライドさせることができない。このため、隣接する電気機器収納用箱の管理者が異なる場合でも、セキュリティを確保することができる。
【図面の簡単な説明】
【００１４】
【図１】電気機器収納用箱の外観を示す斜視図である。
【図２】第１の実施形態のスライドパネルの斜視図である。
【図３】第１の実施形態のスライドパネルの斜視図である。
【図４】スライドパネルを途中までスライドさせた様子を示す斜視図である。
【図５】スライドパネルを途中までスライドさせた様子を示す斜視図である。
【図６】第２の実施形態のスライドパネルの斜視図である。
【図７】第３の実施形態のスライドパネルの斜視図である。
【図８】ブランクパネルを取付けた電気機器収納用箱の斜視図である。
【図９】第４の実施形態のスライドパネル（開状態）の斜視図である。
【図１０】第４の実施形態のスライドパネル(閉状態)の斜視図である。
【発明を実施するための形態】
【００１５】
以下に図面を参照しつつ、本発明の好ましい実施形態を説明する。
図１は電気機器収納用箱１００の外観を示す斜視図であり、隣接する２つの電気機器収納用箱１００だけが示されているが、実際には多数の電気機器収納用箱１００が密接配置されるものである。１はその側板であり、４つの開口部２と、各開口部２を覆うスライドパネル３とが図示されている。これらの開口部２は配線引き込み用または吸排気用の開口であり、通常はスライドパネル３によって閉塞されている。この例では電気機器収納用箱１００の内部は上下２段に区画されているが、これに限定されるものではないことはいうまでもない。なお開口部２は側板１を長方形状に開口させただけのものである。
【００１６】
図２と図３は第１の実施形態のスライドパネル３を両面から見た斜視図である。図示のように、スライドパネル３は開口部２を塞ぐことができる大きさの平板状の塞ぎ部４と、塞ぎ部４から垂直に突出させたフランジ部５とを備えている。この実施形態ではフランジ部５は塞ぎ部４の片側の垂直縁を側板１の方向に直角に折り曲げ形成されている。フランジ部５の高さは開口部２の高さよりもやや大きい。フランジ部５はスライドパネル３を開閉するときの操作部として機能する。なおフランジ部５は上下に分割することもできる。
【００１７】
この塞ぎ部４とフランジ部５との連結部６には、開口部２の上下端縁７，８に係合する切欠き状の引掛部９，１０が形成されている。これらの引掛部９，１０はＵ字状であり、塞ぎ部４の裏面よりも少なくとも側板１の板厚分は側板１側に延びている。このため障子やふすまを「鴨居」と「敷居」の間に保持させるように、開口部２の間に嵌め込んで保持させることができる。
【００１８】
しかし引掛部９、１０は塞ぎ部４の片側の垂直縁だけに形成されているため、スライドパネル３が引掛部９、１０を中心として側板１から離れる方向に回転する可能性がある。そこでこの実施形態では、スライドパネルの回転、倒れを防止するスライド規制部として、スライドパネル３の上下両端にスライド方向（水平方向）に長孔１１を形成し、その内部に側板１に螺合される固定ねじ１２を設けてスライドパネル３の固定部を形成してある。このため固定ねじ１２を緩めればスライドパネル３は固定ねじ１２にガイドされながら側板１と平行にスライドすることができ、また固定ねじ１２を締め付ければ任意の位置において固定することができる。なお、この固定ねじ１２はスライドパネル３が側板１内に倒れてくることを防止するものであり、強固に締め付けていない場合であっても、後述する開閉規制部１４のねじ止めによりスライドを防止することが可能となるものである。このように、開口部２の周囲に枠を設けることなく簡単な構造でスライドパネル３をスライド自在に開口部２に保持させることができるので、低コストである。図４にスライドパネル３を途中までスライドさせた様子を示した。
【００１９】
このほか、スライドパネル３には表裏両面にそれぞれ開閉規制部１４を設けることが好ましい。開閉規制部１４はこの実施形態ではねじであり、スライドパネル３を貫通して側板１に螺合されている。このため両側から開閉規制部１４を解除しなければスライドパネル３をスライドさせて開口部２を開くことができず、隣接する電気機器収納用箱１００の管理者が異なる場合にもセキュリティを確保することができる。なお、図５、図６に示す第２の実施形態のように多数のねじ挿通孔の列１３を形成し、開閉規制部１４をスライドパネル３の位置に対応して、順次差し替える構造とするものである。
【００２０】
図７はスライドパネル３の回転や倒れを防止するスライド規制部の他の実施形態（第３の実施形態）を示す図である。この実施形態では、フランジ部５はスライドパネル３の中央部に溶接等によって固定されている。このように中央部にフランジ部５を設けておけば、指先でスライドパネル３をスライドさせる操作が行い易くなる利点がある。なお、スライド規制部の他の実施形態として、図示しないが、フランジ部５を設けずに引掛部９、１０のみを形成した構造、引掛部９，１０をスライド方向に向かって複数形成または幅広にすることによってスライドパネル３の倒れや回転などを規制するものであっても良いものである。
【００２１】
開口部２は配線引き込み用のほか、空気を吸排気用としても用いられることがある。例えば図８に示すように、マウントレール１５に暖気が冷却風取り入れ口に回り込むことを防止する回り込み防止用のブランクパネル１６を形成しておき、冷却風を隣接する電気機器収納用箱１００に送る際に、スライドパネル３を開いて開口部２から送風するようなことがある。しかしこの場合にはブランクパネル１６が邪魔をして、前記のような長孔１１を利用した固定部を設けることができない場合がある。
【００２２】
このような場合には図９、図１０に示す第４の実施形態のように、フランジ部５に固定部１７であるねじ孔を直接形成し、固定ねじ１２によってスライドパネル３をブランクパネル１６に直接固定することも可能である。なおこの場合にも、開口部２とスライドパネル３との関係は第１の実施形態と同様である。
【００２３】
以上に説明したように、本発明によれば、箱体の側板１に形成された開口部２を覆うスライドパネル３を安価に組み込むことができ、従来構造に比較して低コストであり、しかもセキュリティ上の問題が生ずるおそれもない等の利点がある。
【符号の説明】
【００２４】
１  側板
２  開口部
３  スライドパネル
４  塞ぎ部
５  フランジ部
６  連結部
７  上部端縁
８  下部端塩
９  引掛部
１０  引掛部
１１  長孔
１２  固定ねじ
１３  ねじ挿通孔の列
１４  開閉規制部
１５  マウントレール
１６  ブランクパネル
１７  固定部
１００  電気機器収納用箱
【図１】
2014011380.tif 000003
【図２】
2014011380.tif 000004
【図３】
2014011380.tif 000005
【図４】
2014011380.tif 000006
【図５】
2014011380.tif 000007
【図６】
2014011380.tif 000008
【図７】
2014011380.tif 000009
【図８】
2014011380.tif 000010
【図９】
2014011380.tif 000011
【図１０】
2014011380.tif 000012